(57)【要約】【課題】無線通信により写真プリントを受け付けてからプリントされた写真を客に渡すまでの取引をより正確に行うことを可能とする写真プリント受付システムを提供する。【解決手段】写真プリント受付システム１００は、無線通信により互いに通信可能に接続された写真プリントを注文する通信端末４とその注文を受け付ける受付端末１を有し、当該受付端末１は、注文位置に対応付けられた注文区画に関する情報を格納し、通信端末４からの受信信号に基づいて当該通信端末４の位置を特定して、その特定された位置と注文区画に関する情報とに基づいて、写真プリントが行われた注文区画を出力する。【選択図】図１
2007199915.tif 000002
【特許請求の範囲】
【請求項１】
無線通信により互いに通信可能に接続され、写真プリントすべき画像データを送信する通信端末及び当該写真プリントすべき画像データを受信して写真プリントを行う受付端末を有する写真プリント受付システムにおいて、
前記受付端末は、
店内における前記通信端末を経由した写真プリントの注文を行うべき注文位置毎に予め対応付けられた注文区画に関する注文区画情報を格納する記憶手段と、
前記写真プリントすべき画像データを受信する際の受信信号に基づいて当該データ通信に係る通信端末の位置を特定する位置特定手段と、
この位置特定手段で特定された通信端末の位置と前記記憶手段に格納された注文区画情報とに基づいて、当該通信端末から写真プリントの注文が行われた注文区画を出力する注文区画出力手段と、
を備えることを特徴とする写真プリント受付システム。
【請求項２】
前記受付端末の注文区画出力手段は、前記通信端末から写真プリントの注文が行われた注文区画を当該通信端末に対して出力し、
前記通信端末は、
前記受付端末から出力された注文区画を表示する表示手段を備えることを特徴とする請求項１に記載の写真プリント受付システム。
【請求項３】
前記受付端末の前記注文区画出力手段は、前記通信端末の位置が前記注文区画情報に基づく注文区画に属さない場合に当該通信端末に対して警告情報を出力し、
前記通信端末は、
前記受付端末から出力された警告情報に基づく表示を行う警告表示手段を備えることを特徴とする請求項１に記載の写真プリント受付システム。
【請求項４】
無線通信により互いに通信可能に接続され、写真プリントすべき画像データを送信する通信端末及び当該写真プリントすべき画像データを受信して写真プリントを行う受付端末を有する写真プリント受付システムにおいて、
前記受付端末は、
店内における予め設定された区画に関する区画情報を格納する記憶手段と、
前記写真プリントすべき画像データを送信した通信端末との通信信号に基づいて当該通信端末の位置を特定する位置特定手段と、
この位置特定手段で特定された通信端末の位置と前記記憶手段に格納された区画情報とに基づいて前記通信端末が存在する区画を出力する区画出力手段と、
を備えることを特徴とする写真プリント受付システム。
【請求項５】
前記受付端末の区画出力手段は、前記通信端末が存在する区画を当該通信端末に対して出力し、
前記通信端末は、
前記受付端末から出力された区画を表示する表示手段を備えることを特徴とする請求項４に記載の写真プリント受付システム。
【請求項６】
前記受付端末は、
前記区画出力手段により出力される通信端末が存在する区画が予め店内の出入口近傍に設定された店内出入口区画であるか否かを判定する判定手段と、
この判定手段により店内出入口区画であると判定された場合に警告を出力する警告出力手段と、
を更に備えることを特徴とする請求項４に記載の写真プリント受付システム。
【請求項７】
前記受付端末の警告出力手段は、前記店内出入口区画に存在すると判定された通信端末に対して前記警告を出力し、
前記通信端末は、
前記受付端末から出力された警告に基づく表示を行う警告表示手段を備えることを特徴とする請求項６に記載の写真プリント受付システム。
【請求項８】
前記受付端末は、前記通信端末からの画像データの受信を複数のアンテナで行い、
前記位置特定手段は、前記複数のアンテナ毎に前記受信信号に基づいた距離を測定し、当該測定されたアンテナ毎の距離に基づく三角測位法で前記通信端末の位置を特定することを特徴とする請求項１〜７のいずれか一項に記載の写真プリント受付システム。
【請求項９】
前記通信端末と前記受付端末との通信をＵＷＢ通信で行うことを特徴とする請求項１〜８のいずれか一項に記載の写真プリント受付システム。
【請求項１０】
前記受付端末は、
前記写真プリントすべき画像データに基づく写真プリントが完了した際に前記通信端末に写真プリントの完了を通知する完了通知手段を更に備え、
前記通信端末は、
前記受付端末から出力された完了通知に基づいた表示を行う完了通知表示手段を備えることを特徴とする請求項１〜９のいずれか一項に記載の写真プリント受付システム。
【発明の詳細な説明】
【技術分野】
【０００１】
本発明は、デジタルスチルカメラなどからのプリント注文を受け付けて現像する写真プリント受付システムに関する。
【背景技術】
【０００２】
従来から、ユーザがデジタルスチルカメラで撮影した画像の写真プリントは、ラボと呼ばれる現像所に当該デジタルスチルカメラを持ち寄り、写真プリントすべき画像データを受付端末などに送信することで写真プリントを依頼して行う写真プリント受付システムで行うことがあった。この写真プリント受付システムでは、デジタルスチルカメラにおける写真プリントすべき画像データを、記憶媒体や通信ケーブルを介したデータ通信などではなく無線通信により受け付けるものがある。
【０００３】
例えば、特許文献１には、デジタルスチルカメラから無線通信で画像データを受付端末に送信し、その受け付けられた画像データに基づいて写真プリントを行い、出力された写真は注文時に客（ユーザ）が入力した個人情報を元に受け渡される写真プリント受付システムに関する技術が開示されている。また、端末間における無線を利用したデータ通信については、特許文献２において、通信パケットの応答手続を利用して測距・測位を行う技術が開示されている。
【特許文献１】特開２００２−３１２１３５号公報
【特許文献２】特開２００４−２５８００９号公報
【発明の開示】
【発明が解決しようとする課題】
【０００４】
しかしながら、上述した従来技術では、客はラボのどこからでも注文可能であるというメリットがある反面、プリントされた写真を精算カウンターなどに受け取りに行く必要があり、不便であった。また、注文時の無線通信による測距・測位された情報を元に、店員がプリントされた写真を客に手渡す場合においても、単なる距離と方位だけでは手渡すべき客を見つけるのは困難であった。更に、無線通信による写真プリント注文では、悪意のあるユーザが他人の情報や架空の情報を入力して写真プリントを注文してラボから立ち去った場合にお店側が損害を被るという問題もあった。
【０００５】
本発明の課題は、上記従来技術の問題点に鑑みてなされたものであって、無線通信により写真プリントを受け付けてからプリントされた写真を客に渡すまでの取引をより正確に行うことを可能とする写真プリント受付システムを提供することである。
【課題を解決するための手段】
【０００６】
上記課題を解決するために、請求項１に記載の発明は、無線通信により互いに通信可能に接続され、写真プリントすべき画像データを送信する通信端末及び当該写真プリントすべき画像データを受信して写真プリントを行う受付端末を有する写真プリント受付システムにおいて、前記受付端末は、店内における前記通信端末を経由した写真プリントの注文を行うべき注文位置毎に予め対応付けられた注文区画に関する注文区画情報を格納する記憶手段と、前記写真プリントすべき画像データを受信する際の受信信号に基づいて当該データ通信に係る通信端末の位置を特定する位置特定手段と、この位置特定手段で特定された通信端末の位置と前記記憶手段に格納された注文区画情報とに基づいて、当該通信端末から写真プリントの注文が行われた注文区画を出力する注文区画出力手段と、を備えることを特徴とする。
【０００７】
請求項２に記載の発明は、請求項１に記載の発明において、前記受付端末の注文区画出力手段は、前記通信端末から写真プリントの注文が行われた注文区画を当該通信端末に対して出力し、前記通信端末は、前記受付端末から出力された注文区画を表示する表示手段を備えることを特徴とする。
【０００８】
請求項３に記載の発明は、請求項１に記載の発明において、前記受付端末の前記注文区画出力手段は、前記通信端末の位置が前記注文区画情報に基づく注文区画に属さない場合に当該通信端末に対して警告情報を出力し、前記通信端末は、前記受付端末から出力された警告情報に基づく表示を行う警告表示手段を備えることを特徴とする。
【０００９】
請求項４に記載の発明は、無線通信により互いに通信可能に接続され、写真プリントすべき画像データを送信する通信端末及び当該写真プリントすべき画像データを受信して写真プリントを行う受付端末を有する写真プリント受付システムにおいて、前記受付端末は、店内における予め設定された区画に関する区画情報を格納する記憶手段と、前記写真プリントすべき画像データを送信した通信端末との通信信号に基づいて当該通信端末の位置を特定する位置特定手段と、この位置特定手段で特定された通信端末の位置と前記記憶手段に格納された区画情報とに基づいて前記通信端末が存在する区画を出力する区画出力手段と、を備えることを特徴とする。
【００１０】
請求項５に記載の発明は、請求項４に記載の発明において、前記受付端末の区画出力手段は、前記通信端末が存在する区画を当該通信端末に対して出力し、前記通信端末は、前記受付端末から出力された区画を表示する表示手段を備えることを特徴とする。
【００１１】
請求項６に記載の発明は、請求項４に記載の発明において、前記受付端末は、前記区画出力手段により出力される通信端末が存在する区画が予め店内の出入口近傍に設定された店内出入口区画であるか否かを判定する判定手段と、この判定手段により店内出入口区画であると判定された場合に警告を出力する警告出力手段と、を更に備えることを特徴とする。
【００１２】
請求項７に記載の発明は、請求項６に記載の発明において、前記受付端末の警告出力手段は、前記店内出入口区画に存在すると判定された通信端末に対して前記警告を出力し、前記通信端末は、前記受付端末から出力された警告に基づく表示を行う警告表示手段を備えることを特徴とする。
【００１３】
請求項８に記載の発明は、請求項１〜７のいずれか一項に記載の発明において、前記受付端末は、前記通信端末からの画像データの受信を複数のアンテナで行い、前記位置特定手段は、前記複数のアンテナ毎に前記受信信号に基づいた距離を測定し、当該測定されたアンテナ毎の距離に基づく三角測位法で前記通信端末の位置を特定することを特徴とする。
【００１４】
請求項９に記載の発明は、請求項１〜８のいずれか一項に記載の発明において、前記通信端末と前記受付端末との通信をＵＷＢ通信で行うことを特徴とする。
【００１５】
なお、ここで言うＵＷＢ通信とは、超広帯域無線（ＵＷＢ：Ultra-Wideband）通信のことであり、１ｎｓ以下の短パルスを用いて広帯域な周波数幅（数ＧＨｚ〜数十ＧＨｚ）を使用する無線伝送方式を意味する。
【００１６】
請求項１０に記載の発明は、請求項１〜９のいずれか一項に記載の発明において、前記受付端末は、前記写真プリントすべき画像データに基づく写真プリントが完了した際に前記通信端末に写真プリントの完了を通知する完了通知手段を更に備え、前記通信端末は、前記受付端末から出力された完了通知に基づいた表示を行う完了通知表示手段を備えることを特徴とする。
【発明の効果】
【００１７】
請求項１に記載の発明によれば、写真プリントすべき画像データを受信する際の受信信号に基づいて当該データ通信に係る通信端末の位置を特定し、その特定された通信端末の位置と予め写真プリントの注文を行うべき注文位置毎に対応付けられた注文区画に関する情報とに基づいて写真プリントの注文が行われた注文区画を出力することができ、注文時の客の位置を注文区画毎に分かり易く特定することができるため、注文に応じて出力された写真プリントを注文位置にいる客へ正確に渡すことができる。
【００１８】
請求項２に記載の発明によれば、写真プリントの注文が行われた注文区画を通信端末側で確認することができ、通信端末を経由して注文を行う客側からも写真プリントの注文位置を把握することができる。
【００１９】
請求項３に記載の発明によれば、通信端末の位置が注文区画に属さない場合に当該通信端末に警告情報に基づく表示を行うことができ、写真プリントの注文を行うべき注文位置からの通信端末を経由した注文を促すことができる。
【００２０】
請求項４に記載の発明によれば、写真プリントすべき画像データを送信した通信端末の位置を通信信号に基づいて特定し、その特定された通信端末の位置と店内において予め設定された区画情報とに基づいてその通信端末が存在する区画を出力することができ、注文を行った通信端末の位置を区画毎に分かり易く特定することができるため、その通信端末を客が保有する場合、写真プリントを注文後の客の移動を的確に把握することができ、注文に応じて出力された写真プリントを正確に客に渡すことができる。
【００２１】
請求項５に記載の発明によれば、通信端末が存在する区画を当該通信端末側で確認することができる。
【００２２】
請求項６に記載の発明によれば、通信端末が予め店内の出入口近傍に存在する場合に警告を出力することができ、写真プリントを注文する通信端末を客が保有する場合、その客が出入口近傍に移動したことを的確に把握することができる。
【００２３】
請求項７に記載の発明によれば、通信端末が予め店内の出入口近傍に存在する場合に当該通信端末側でも確認することができる。
【００２４】
請求項８に記載の発明によれば、通信端末の位置を複数のアンテナからの距離による三角測位で特定することができる。
【００２５】
請求項９に記載の発明によれば、通信端末と受付端末との通信をＵＷＢ通信で行うことができ、数センチ単位で当該通信端末の位置を特定することができる。
【００２６】
請求項１０に記載の発明によれば、写真プリントが終了したことを通信端末に通知することができる。
【発明を実施するための最良の形態】
【００２７】
以下、この発明の実施の形態について図１〜図６を参照して説明するが、この発明は、以下の実施の形態に限定しない。また、この発明の実施の形態は発明の最も好ましい形態を示すものであり、発明の用途や用語等はこれに限定するものではない。
【００２８】
図１（ａ）は、本発明である写真プリント受付システム１００の構成概要を示す概略図であり、図１（ｂ）は、写真プリント受付システム１００の設置形態を示す概略図であり、図２は、受付端末１の機能的構成を模式的に示すブロック図であり、図３は、通信端末４の機能的構成を模式的に示すブロック図であり、図４は、写真プリント受付システム１００における写真プリント処理を説明するラダーチャートであり、図５は、受付端末１が行う写真プリント画像受付処理を示すフローチャートであり、図６は、受付端末１が行う通信端末追跡処理を示すフローチャートである。
【００２９】
先ず、写真プリント受付システム１００の構成について説明する。写真プリント受付システム１００は、図１（ａ）に示すように、通信ケーブルなどで互いに電気的に接続される受付端末１、アンテナ２及びプリンタ３と、当該アンテナ２との間で無線通信を行う通信端末４とを有する構成である。写真プリント受付システム１００は、通信端末４から伝送される写真プリントすべき画像を受付端末１で受け付け、当該受付端末１がプリンタ３へ写真プリントを指示することで、写真プリント処理を行う。
【００３０】
アンテナ２は、受付端末１からの出力に応じた通信端末４への送信や当該通信端末４から送信されるデータを受信する複数のアンテナである。例えば、アンテナ２における通信は、１ｎｓ以下の短パルスを用いて広帯域な周波数幅（数ＧＨｚ〜数十ＧＨｚ）によるＵＷＢ通信である。プリンタ３は、受付端末１からの指示に応じて記録紙などの記録媒体に写真プリントを行うプリンタである。なお、写真プリント受付システム１００を構成する各装置の数量や接続レイアウトなどは図示例に限らないものとする。
【００３１】
次に、写真プリント受付システム１００の設置形態について説明する。写真プリント受付システム１００の設置場所は、図１（ｂ）に示すように、出入口ＥＸから外界と店内領域Ｌとの間で客の出入りが可能な店舗などである。
【００３２】
店内領域Ｌには、客が通信端末４を操作して写真プリント注文を行うべき場所としてのテーブルＴ１〜Ｔ８が設けられている。また、店内領域Ｌにおいては、通信端末４を保持する客がそのテーブルＴ１〜Ｔ８のいずれかの位置から写真注文を行った場合に、その注文したテーブルの特定を可能とするように当該テーブルＴ１〜Ｔ８の各テーブルに対応した区画Ｅ１〜Ｅ８が予め設定されている。また、店内領域Ｌの出入口ＥＸ近傍においては、出入口ＥＸから外界へ出る際に通行する出入口区画Ｅ９が予め設定されている。なお、区画Ｅ１〜Ｅ８や出入口区画Ｅ９以外の区画であり、例えば通路などの区画等に関しても予め設定される構成であってよい。
【００３３】
この店舗においては、前述したアンテナ２としてのアンテナ２ａ、２ｂ、２ｃが所定の間隔で設けられ、店内領域Ｌにおける通信端末４の位置が各アンテナでの受信出力により算出される通信端末４と各アンテナとの距離に基づいた三角測定で特定することが可能となっている。なお、この複数のアンテナの本数や配置については、通信端末４の位置を特定可能であればいずれであってよく、特に限定するものではない。例えば、店内領域Ｌと外界との境界で無線通信がシールド遮蔽され、同一の境界近傍にアンテナが設けられる構成では、最小の２本での三角測定で店内領域Ｌにおける通信端末４の位置を特定することが可能である。
【００３４】
次に、受付端末１の構成について説明する。図２に示すように、受付端末１は、制御部１１、表示部１２、操作部１３、記憶部１４、通信部１５及びＩ／Ｆ部１６等を備えて構成され、各部はバス１７により接続されている。具体的には、受付端末１は、ＰＣ（Personal  Computer）やＷＳ（Work  Station）などの情報端末である。また、受付端末１は、特に図示しないドロアやクレジットカード読み取り部などを備え、写真プリントに関する料金精算を行うレジスターとしての機能を有する構成であってもよい。
【００３５】
制御部１１は、特に図示しないＣＰＵ（Central  Processing  Unit）、ＲＡＭ（Random  Access  Memory）、ＲＯＭ（Read  Only  Memory）等からなり、ＣＰＵはＲＡＭの所定領域を作業領域として、ＲＯＭ又は記憶部１４に予め格納された各種制御プログラムを実行し、受付端末１を構成する各部の動作を統括的に制御する。
【００３６】
表示部１２は、ＣＲＴ（Cathode  Ray  Tube）、ＬＣＤ（Liquid  Crystal  Display）、有機又は無機ＥＬＤ（ElectroLuminescence  Display）、プラズマディスプレイ等から構成されており、制御部１１による制御の下、当該制御部１１から入力される表示データに基づく画像を画面上に表示する。
【００３７】
操作部１３は、文字入力キー、数字入力キーその他各種機能に対応付けられたキーを備えたキーボード、マウス等を含み、キー操作等により押下されたキーに対応する押下信号を制御部１１に出力する。なお、操作部１３は、表示部１２と一体的にタッチパネルを構成する態様としてもよい。
【００３８】
記憶部１４は、磁気的・光学的記憶媒体、半導体等の不揮発性メモリ等から構成されており、制御部１１からの指示に応じた読み取りが可能な制御プログラム１４１、区画情報１４２等のデータを予め格納している。なお、記憶部１４は、上述した磁気的・光学的記憶媒体又は半導体等を着脱可能に装填する機構を備える構成であってよく、例えば、制御プログラム１４１や区画情報１４２等のデータが格納されたフラッシュメモリ、ＭＯ（Magneto-Optic）ディスク、ＣＤ−Ｒ／ＲＷ、ＤＶＤ±Ｒ／ＲＷ、ＨＤＤ（Hard  Disk  Drive）等が外部から装填され、制御部１１により読み出される構成であってもよい。
【００３９】
記憶部１４に格納される制御プログラム１４１は、制御部１１が読み込んで順次実行することで、後述する写真プリント処理等における受付端末１の動作を統括制御するプログラムデータである。また、区画情報１４２は、前述した区画Ｅ１〜Ｅ８や出入口区画Ｅ９などの座標位置が予め設定されたデータである。
【００４０】
通信部１５は、制御部１１による制御の下、前述したアンテナ２を介した通信端末４との間でＵＷＢ通信を行う回路部である。なお、通信部１５が行う通信は、ＩＥＥＥ８０２．１１ａ、８０２．１１ｂ、８０２．１１ｇ等の無線ＬＡＮ、ＦＷＡ（Fixed Wireless Access、固定無線アクセス）、Bluetooth、ＨｏｍｅＲＦ（Home Radio Frequency）等の各種通信規格であってよく、特にＵＷＢ通信に限定するものではない。
【００４１】
制御部１１は、インパルス信号を通信端末４に送信し、返信信号が受信されるまでの時間差や、通信端末に反射した信号が受信されるまでの時間差から距離を算出するインパルスレーダ方式などで、通信部１５に接続している各アンテナと通信端末４との間の距離を算出する。例えば、アンテナと通信端末４との距離の演算例ついては、送信開始から受信開始までの時間差をＴ、通信速度をＶとした場合、Ｌ（通信距離）＝Ｔ×Ｖなどである。制御部１１は、その各アンテナと通信端末４との距離及び予めＲＯＭや記憶部１４などに設定されている各アンテナの位置情報などに基づいて、三角測位法などによる演算を行い、通信端末４の位置を特定する。
【００４２】
Ｉ／Ｆ部１６は、通信ケーブル等を介して電気的に接続するプリンタ３とシリアル又はパラレル通信でデータ通信を行うインターフェイスである。具体的には、パラレル通信におけるバス配線を接続する構成や、Ｉ２Ｃ（登録商標）、ＵＡＲＴ（Universal  Asynchronous  Receiver  Transmitter）、ＵＳＢ（Universal  Serial  Bus）、ＳＣＬ（Serial  CLock）、ＳＤＡ（Serial  DAta）などのシリアル通信規格により通信可能に接続する構成である。
【００４３】
次に、通信端末４の構成について説明する。図３に示すように、通信端末４は、制御部４１、表示部４２、操作部４３、記憶部４４、画像処理部４５、撮像部４６及び通信部４７等を備えて構成され、各部はバス４８により接続されている。具体的には、受付端末１は、デジタルスチルカメラ（ＤＳＣ）、ＰＤＡ（Personal  Digital  Assistant）、携帯電話、ノートＰＣ（note  PC）などの容易に持ち運びができるよう小型化された情報端末である。
【００４４】
制御部４１は、特に図示しないＣＰＵ、ＲＡＭ、ＲＯＭ等からなり、ＣＰＵは、ＲＡＭの所定領域を作業領域として、ＲＯＭ又は記憶部４４に予め格納された各種制御プログラムを実行し、通信端末４を構成する各部の動作を統括的に制御する。
【００４５】
表示部４２は、ＬＣＤ等であり、制御部４１のよる制御の下、当該制御部４１から入力される表示データに基づく画像を画面上に表示する。
【００４６】
操作部４３は、文字入力キー、数字入力キーその他各種機能に対応付けられたキーを備えたキーボード、マウス等を含み、キー操作等により押下されたキーに対応する押下信号を制御部４１に出力する。なお、操作部４３は、表示部４２と一体的にタッチパネルを構成する態様としてもよい。
【００４７】
記憶部４４は、前述した記憶部１４と同様に磁気的・光学的記憶媒体、半導体等の不揮発性メモリ等から構成されており、制御部４１からの指示に応じた読み取りが可能な制御プログラム４４１、画像データ４４２等のデータを予め格納している。
【００４８】
記憶部４４に格納される制御プログラム４４１は、制御部４１が読み込んで順次実行することで、後述する写真プリント処理等における通信端末４の動作を統括制御するプログラムデータである。また、画像データ４４２は、写真プリントの際の元となる画像データであり、通信部４７や特に図示しない通信Ｉ／Ｆなどを介して他の情報端末から受信された画像データや撮像部４６で撮像された画像データなどである。
【００４９】
画像処理部４５は、制御部４１の指示の下、入力される画像データに対し、二値化処理、階調変換、色変換、鮮鋭処理又は画像抽出等の各種画像処理を行って出力する機能部である。具体的には、画像処理部４５は、制御部４１の指示に応じて撮像部４６で撮像された画像データや記憶部４４に格納された画像データ４４２などに所定の画像処理を施し、表示部４２で表示する画像の調整や通信部４７を介して他の端末へ出力される画像データの調整を行う。
【００５０】
撮像部４６は、撮影レンズ系およびミラー等のレンズ・ミラーブロック、ＣＣＤ（Charge  Coupled  Device）等の撮像素子、その駆動系のほか、測距センサ、光量センサ、アナログ処理回路、信号処理回路などを有し、制御部４１の指示に応じて、光学ズームの調節、オートフォーカス時の焦点調整、シャッタ駆動、露出、ホワイトバランスなどの調整を行い、撮像された画像データを出力する。
【００５１】
通信部４７は、前述した通信部１５との間でＵＷＢ通信や他の各種通信規格による通信を行う回路部である。
【００５２】
次に、写真プリント受付システム１００における写真プリント処理を説明する。この写真プリント処理は、図４に示すように、通信端末４の制御部４１が制御して行うステップＡ１１〜Ａ１６の各処理及び受付端末１の制御部１１が制御して行うステップＢ１１〜Ｂ１８の各処理からなる。
【００５３】
先ず、通信端末４は、画像データ４４２の画像一覧などを表示部４２で表示し、操作部４３から入力される操作指示に基づいて写真プリントを行う画像選択やプリントサイズ、トリミング情報などのその写真プリントに関する情報を受け付け（ステップＡ１１）、受付端末１との間でデータ通信のセッションを開始し（ステップＡ１２）、受け付けられた写真プリントを行う画像データやサイズ・トリミング情報などの写真プリントに関する情報を受付端末１に対して送信し、それに対する受付端末１からの通知を受け付けて表示部４２に表示する等の転送処理を行う（ステップＡ１３）。
【００５４】
受付端末１では、通信端末４からのデータ通信のセッション開始を受け付け（ステップＢ１１）、通信端末４から送られる画像データやサイズ・トリミングなどの写真プリントに関する情報に基づいた写真プリント画像受付処理を行う（ステップＢ１２）。
【００５５】
ここで、受付端末１の制御部１１が行うプリント画像受付処理について詳細に説明する。図５に示すように、プリント画像受付処理が開始されると、通信端末４からの写真プリントすべき画像等の受信、つまり、写真プリントの注文受付が行われ（ステップＢ１２１）、前述した通信部１５における受信信号の状態に基づいて通信端末４の位置が取得され（ステップＢ１２２）、当該取得した位置情報と記憶部１４に格納されている区画情報１４２とに基づいて、店舗内における通信端末４が属する区画が取得される（ステップＢ１２３）。
【００５６】
次いで、その通信端末４が属する区画が注文可能区画、つまり、前述した客が注文すべき場所（図１（ｂ）の例ではテーブルＴ１〜８）に対応付けられて設定された区画（図１（ｂ）の例では区画Ｅ１〜Ｅ８）であるか否かが判定され（ステップＢ１２４）、その注文可能区画に属さない場合は注文可能区画に移動するように通信端末４に対して通知されて（ステップＢ１２８）終了する。
【００５７】
ステップＢ１２４において注文可能区画に属すると判定された場合は、その取得された区画が注文受付区画及び現在の通信端末４の属する現在区画としてＲＡＭなどに一時的に格納され（ステップＢ１２５）、その注文受付区画（現在区画）が通信端末４に対して通知され（ステップＢ１２６）、プリンタ３に対してステップＢ１２１で受け付けられた注文に応じた写真プリントの開始が指示されて（ステップＢ１２７）終了する。
【００５８】
上述した写真プリント画像受付処理に次いで、受付端末１では、その受け付けられた写真プリントがプリンタ３で完了するまで待機し（ステップＢ１３）、写真プリントが完了した際には写真プリント完了を通信端末４に通知し（ステップＢ１４）、表示部１２に受け付けられた写真プリントが完了したことを示す情報が表示される（ステップＢ１５）。なお、この写真プリント完了表示については、ＲＡＭなどに一時的に格納された注文受付区画や現在区画等の通信端末４の属する区画も表示する構成であってよい。通信端末４では、受付端末１からの写真プリント完了通知を受けて注文した写真プリントが完了したことを表示部４２に表示する（ステップＡ１４）。
【００５９】
次いで、受付端末１では、当該受付端末１におけるレジスター機能やＩ／Ｆ部１６などを介して接続する特に図示しない電子レジスターなどでその写真プリントの精算が行われるまで、通信端末追跡処理を行い（ステップＢ１６、Ｂ１７）、精算の終了後に通信端末４との間のデータ通信のセッションを終了して（ステップＢ１８）処理を終了する。通信端末４では、受付端末１における通信端末追跡処理に応じて通知される通信端末４が属する現在区画に関する情報を表示部４２などに表示し（ステップＡ１５）、受付端末１との間のデータ通信のセッション終了を受け付けて（ステップＡ１６）処理を終了する。
【００６０】
ここで、受付端末１の制御部１１が行う通信端末追跡処理について詳細に説明する。図６に示すように、通信端末追跡処理が開始されると、前述したステップＢ１２２、Ｂ１２３と同様に、通信部１５における通信端末４との送受信信号の状態に基づいて通信端末４の位置が取得され（ステップＢ１６１）、当該取得した位置情報と区画情報１４２とに基づいて店舗内における通信端末４が属する区画が取得される（ステップＢ１６２）。
【００６１】
次いで、その取得された通信端末４が属する区画がＲＡＭなどに一時的に格納されている現在区画、つまり、写真プリント画像受付処理で取得された注文受付区画（現在区画）や前の通信端末追跡処理で更新された現在区画と同一であるか否かが判定され（ステップＢ１６３）、同一である場合はそのまま終了する。
【００６２】
ステップＢ１６３の判定において、ステップＢ１６２で取得された通信端末４が属する区画が一時的に格納されている現在区画と同一でないと判定された場合は、そのステップＢ１６２で取得された区画が現在区画としてＲＡＭなどに一時的に格納され（ステップＢ１６４）、つまり、格納される現在区画の更新が行われ、その取得された区画が店内出入口区画で（図１（ｂ）、出入口区画Ｅ９）あるか否かが判定される（ステップＢ１６５）。
【００６３】
ステップＢ１６５において、取得された区画が店内出入口区画でない場合は、その取得された通信端末４が属する区画が現在区画として表示部１２に表示されるとともに通信端末４に対して通知されて（ステップＢ１６６、Ｂ１６７）終了する。
【００６４】
またステップＢ１６５において、取得された区画が店内出入口区画である場合は、写真プリントを注文した通信端末が店舗の出入口付近にあることを示す警告情報が表示部１２に表示されるとともに通信端末４に対して現在区画が店内出入口区画、つまり、通信端末４の現在位置が店内の出入口付近であることが通知されて（ステップＢ１６９）終了する。
【００６５】
以上のように、写真プリント受付システム１００は、無線通信により互いに通信可能に接続された写真プリントを注文する通信端末４とその注文を受け付ける受付端末１を有し、当該受付端末１は、注文位置（図１（ｂ）、テーブルＴ１〜Ｔ８）に対応付けられた注文区画（図１（ｂ）、区画Ｅ１〜Ｅ８）に関する区画情報１４２を格納し、通信端末４からの受信信号に基づいて当該通信端末４の注文位置を特定して、その特定された位置と区画情報１４２とに基づいて、写真プリントの注文が行われた注文区画を表示部１２に出力する構成である。このため、写真プリント受付システム１００では、注文時の客の位置を注文区画毎に分かり易く特定することができ、注文に応じて出力された写真プリントを注文位置にいる客へ正確に渡すことができる。
【００６６】
また、写真プリント受付システム１００は、写真プリントの注文が行われた注文区画を通信端末４の表示部４２に出力する構成である。このため、写真プリント受付システム１００では、通信端末４側からも写真プリントの注文が行われた位置を確認することができる。
【００６７】
また、写真プリント受付システム１００は、注文を行うべき注文位置以外から通信端末４を経由した写真プリントの注文を行った場合、当該通信端末４の表示部４２に警告を表示する構成である。このため、通信端末４を所持する客に対して適正な注文位置からの写真プリントの注文を促すことができ、取引の安全を図ることができる。
【００６８】
また、写真プリント受付システム１００は、写真プリントの注文を行った通信端末４の位置を当該通信端末４からの受信信号に基づいて特定し、その特定された位置と予め格納された区画情報１４２とに基づいて通信端末４が現在存在する区画を出力する構成である。このため、通信端末４の位置を区画毎に分かり易く特定することができ、例えば、客が通信端末４を所持して移動する場合、その客の位置を分かり易く特定することができ、出力された写真プリントを正確に客へ届けることができる。
【００６９】
また、写真プリント受付システム１００は、写真プリントを行った通信端末４の存在する区画を当該通信端末４の表示部４２に出力する構成である。このため、通信端末４側からも現在の位置を確認することができる。
【００７０】
また、写真プリント受付システム１００は、通信端末４が現在存在する区画が店内出入口区画（図１（ｂ）、出入口区画Ｅ９）である場合に受付端末１の表示部１２に警告を出力する構成である。このため、客が通信端末４を所持して移動する場合、その客が出入口近傍に移動したことを的確に把握することができ、取引の安全を図ることができる。
【００７１】
また、写真プリント受付システム１００は、通信端末４が現在存在する区画が店内出入口区画である場合に通信端末４の表示部４２に警告を出力する構成である。このため、料金の精算場所が出入口などである場合、通信端末４を所持して移動する客がその精算場所を的確に把握することができ、取引の安全を図ることができる。
【００７２】
また、写真プリント受付システム１００は、複数のアンテナ（図１（ｂ）、アンテナ２ａ〜２ｃ）における受信信号から、各アンテナと通信端末４との距離を測定し、その各アンテナと通信端末４との距離に基づいた三角測位法で通信端末４の位置を特定する構成である。このため、インパルス方式などにより、正確に通信端末４の位置を特定することができる。
【００７３】
また、写真プリント受付システム１００は、受付端末１と通信端末４との通信をＵＷＢ通信で行う構成である。このため、数センチ単位で通信端末の位置を特定することができる。
【００７４】
また、写真プリント受付システム１００は、写真プリントが完了したことを通信端末４の表示部４２に出力する構成である。このため、通信端末４を所持する客側でも注文した写真プリントが仕上がったことを確認することができる。
【００７５】
なお、本実施の形態における記述は、本発明の一例を示すものであり、これに限定するものではない。本実施の形態における写真プリント受付システム１００の構成及び動作に関しては、本発明の趣旨を逸脱しない範囲で適宜変更が可能である。
【００７６】
例えば、受付端末１において、通信端末４からの写真プリントの注文が行われた注文区画の出力は表示部１２で行う構成を示したが、特に図示しない注文伝票などをプリントするプリンタなどに出力する構成であってもよい。
【００７７】
また、図４に示した本実施の形態における写真プリント処理では、写真プリント画像受付処理（ステップＢ１２）の後に、写真プリントの完了と通知を待ってから通信端末追跡処理（ステップＢ１６）を行う一連の処理を示したが、写真プリント画像受付処理後に並列して通信端末追跡処理を行ってもよい。つまり、写真プリント受付システム１００は、写真プリントが完了する前の段階から通信端末４の現在位置を追跡する構成であってもよい。
【図面の簡単な説明】
【００７８】
【図１】（ａ）は、本発明である写真プリント受付システム１００の構成概要を示す概略図であり、（ｂ）は、写真プリント受付システム１００の設置形態を示す概略図である。
【図２】受付端末１の機能的構成を模式的に示すブロック図である。
【図３】通信端末４の機能的構成を模式的に示すブロック図である。
【図４】写真プリント受付システム１００における写真プリント処理を説明するラダーチャートである。
【図５】受付端末１が行う写真プリント画像受付処理を説明するフローチャートである。
【図６】受付端末１が行う通信端末追跡処理を示すフローチャートである。
【符号の説明】
【００７９】
１００  写真プリント受付システム
１  受付端末
２、２ａ〜２ｃ  アンテナ（位置特定手段）
３  プリンタ
４  通信端末
１１  制御部（位置特定手段、注文区画出力手段、区画出力手段、判定手段、完了通知手段）
１２  表示部（注文区画出力手段、区画出力手段、警告出力手段）
１３  操作部
１４  記憶部（記憶手段）
１４１  制御プログラム
１４２  区画情報（注文区画情報）
１５  通信部（位置特定手段、完了通知手段）
１６  Ｉ／Ｆ部
１７  バス
４１  制御部
４２  表示部（表示手段、警告表示手段、完了通知表示手段）
４３  操作部
４４  記憶部
４４１  制御プログラム
４４２  画像データ
４５  画像処理部
４６  撮像部
４７  通信部
４８  バス
Ｅ１〜Ｅ８  区画
Ｅ９  出入口区画
ＥＸ  出入口
Ｌ  店内領域
Ｔ１〜Ｔ８  テーブル
【図１】
2007199915.tif 000003
【図２】
2007199915.tif 000004
【図３】
2007199915.tif 000005
【図４】
2007199915.tif 000006
【図５】
2007199915.tif 000007
【図６】
2007199915.tif 000008